(57)【要約】【課題】蒸気孔キャップと蓋との間を密封するシールパッキンを、別部材を用いることなく、しっかりと取付けることができる炊飯器を提供する。【解決手段】炊飯器本体１内の内鍋２を閉じる蓋３と、この蓋３の外面に開放し、内鍋２内に通じる蒸気室４と、この蒸気室４に着脱可能に被さる蒸気孔キャップ５と、この蒸気孔キャップ５と前記蓋３との間を密封するシールパッキン６とを備え、前記蒸気孔キャップ５が、前記蒸気室４の内周面と対面する周壁部２３を有し、前記シールパッキン６が、前記周壁部２３の先端に嵌合して取付けるリング状に設けられ、前記シールパッキン６のうち、前記周壁部２３の外周面と密着する外周部２５が、前記蒸気室４の内周面との間を密封すると共に、前記周壁部２３と互いに掛り合う係合部２７を全周に亘って有する炊飯器とした。【選択図】図１
2006136396.tif 000002
【特許請求の範囲】
【請求項１】
炊飯器本体内の内鍋を閉じる蓋と、この蓋の外面に開放し、内鍋内に通じる蒸気室と、この蒸気室に着脱可能に被さる蒸気孔キャップと、この蒸気孔キャップと前記蓋との間を密封するシールパッキンとを備えた炊飯器において、前記蒸気孔キャップが、前記蒸気室の内周面と対面する周壁部を有し、前記シールパッキンが、前記周壁部の先端に嵌合して取付けるリング状に設けられ、前記シールパッキンのうち、前記周壁部の外周面と密着する外周部が、前記蒸気室の内周面との間を密封すると共に、前記周壁部と互いに掛り合う係合部を全周に亘って有することを特徴とする炊飯器。
【請求項２】
前記外周部が、前記蒸気室の内周面との間を密封するリップを有し、このリップが、内外方向において前記係合部と対することを特徴とする請求項１に記載の炊飯器。
【請求項３】
前記シールパッキンが断面凹溝状に設けられ、前記外周部がその外側溝壁からなり、その内側溝壁が内外方向において前記係合部と対することを特徴とする請求項１または２に記載の炊飯器。
【発明の詳細な説明】
【技術分野】
【０００１】
この発明は、蓋外面に開放する蒸気室を備えた炊飯器に関し、特に、蒸気室に被さる蒸気孔キャップと蓋との間を密封するシールパッキンの取付け構造に関する。
【背景技術】
【０００２】
従来から、この種の炊飯器としては、例えば、図９に示すように、蓋外殻を構成する外蓋８１に円筒状空間からなる蒸気室８２を備えたものがある（特許文献１参照）。
【０００３】
蒸気室８２は上面に開放部８３を有し、この開放部８３には、上端開放の弁ケース８４を備える弁セット８５が着脱可能に装着される。弁ケース８４の上端開放部には、蒸気孔キャップ８６が着脱可能に被さる。蒸気孔キャップ８６は、蒸気室８２を覆うカバー部８７と、このカバー部８７の下面に形成された周壁部８８とを有する。この周壁部８８は、弁ケース８４の開放縁に臨み、蒸気孔キャップ８６を位置決めしている。
【０００４】
外蓋８１と蒸気孔キャップ８６との間は、弁ケース８４の外周面に圧入嵌合されたリング状のシールパッキン８９により密封される。シールパッキン８９の上端周には、カバー部８７の下面と外蓋８１の上面とに密着するリップ９０が形成され、シールパッキン８９の内周面には、突出部９１が周方向に等間隔で形成されている。シールパッキン８９は、弁ケース８４の外周面へ圧入嵌合しつつ、各突出部９１を弁ケース８４に形成された各受け口９２に嵌め込むことによって取付けられる。
【０００５】
【特許文献１】特開２０００−１１６５０７号公報
【発明の開示】
【発明が解決しようとする課題】
【０００６】
しかしながら、特許文献１に記載のような炊飯器では、シールパッキン８９を弁ケース８４に取付けるため、弁セット８５を省略して低コスト化を図ることができないという問題があった。このため、弁ケース等のような別部材を要することのない、新たなシールパッキンの取付け構造が求められていた。
【０００７】
そこで、この発明の課題は、蒸気孔キャップと蓋との間を密封するシールパッキンを、別部材を用いることなく、しっかりと取付けることができる炊飯器を提供することにある。
【課題を解決するための手段】
【０００８】
上記の課題を解決するため、この発明は、炊飯器本体内の内鍋を閉じる蓋と、この蓋の外面に開放し、内鍋内に通じる蒸気室と、この蒸気室に着脱可能に被さる蒸気孔キャップと、この蒸気孔キャップと前記蓋との間を密封するシールパッキンとを備えた炊飯器において、前記蒸気孔キャップが、前記蒸気室の内周面と対面する周壁部を有し、前記シールパッキンが、前記周壁部の先端に嵌合して取付けるリング状に設けられ、このシールパッキンのうち、前記周壁部の外周面と密着する外周部が、前記蒸気室の内周面との間を密封すると共に、前記周壁部と互いに掛り合う係合部を全周に亘って有することを特徴とする構成を採用した。
【０００９】
この発明の構成によれば、前記蒸気孔キャップが、前記蒸気室の内周面と対面する周壁部を有し、前記シールパッキンが、前記蒸気室の内周面との間を密封する外周部を有すると共に、前記周壁部の先端に嵌合して取付けるリング状に設けられているので、前記シールパッキンが、前記周壁部に直接取付けられる。
【００１０】
この構成では、前記シールパッキンのうち、前記周壁部の外周面と密着する外周部が、前記蒸気室の内周面との間を密封するため、前記蒸気孔キャップの着脱時に前記蒸気室の内周面に擦られる。この際、前記外周部がずれ動くと、前記シールパッキンの脱落や捩れの原因となる。
【００１１】
しかし、この構成では、前記外周部が前記周壁部と互いに掛り合う係合部を全周に亘って有するため、前記外周部がずれ動こうとしても、前記外周部の密着性によって前記係合部が前記周壁部にしっかりと引っ掛り、前記外周部のずれ動きが防止される。
【００１２】
前記係合部は、前記外周部のずれ動きが防止されるように前記周壁部と全周に亘ってバランスよく掛り合えば十分であり、全周に亘って連続して掛り合う必要はない。また、前記係合部と前記周壁部との掛り合い方向は、前記外周部のずれ動きに対する抵抗となるように定めればよい。
【００１３】
具体的には、前記周壁部の外周面に、全周に亘って周方向に連続する凹凸部が形成され、前記外周部の内周面に、前記係合部が前記凹凸部と合致するように形成された構成を採用することができる。勿論、従来と同様、前記周壁部に外周面に開口する複数の受け口が全周に亘って配設され、前記外周部の内周面に、前記係合部が各受け口と対応して突出するように形成された構成を採用することもできる。
【００１４】
前記シールパッキンには、前記外周部の外周面がシール面となるものを用いることができる。しかし、前記シールパッキンには、前記外周部にリップを有するものを用いた方が、前記蒸気孔キャップの着脱時の抵抗感を低減することができる。ところが、この場合には、前記リップが前記蒸気室の内周面によって強く引き摺られるので、前記外周部のうち、前記リップの根元付近が大きく変形し、前記外周部に捩れが生じ易くなる。前記外周部に捩れが生じると、前記係合部と前記周壁部との掛り合いが外れる原因となる。
【００１５】
そこで、この発明の好ましい構成としては、前記外周部が、前記蒸気室の内周面との間を密封するリップを有し、このリップが、内外方向において前記係合部と対する構成を採用することができる。この構成によれば、前記リップが強く引き摺られても、前記係合部により前記リップの根元付近がしっかりと支持されるので、前記外周部の捩れが効果的に防止される。
【００１６】
ここで、前記リップが前記外周部の幅方向両端の間に配されていると、前記リップから前記外周部に加わるモーメント荷重が低減される。これにより、前記シールパッキンの捩れがより確実に防止される。特に、前記リップが前記外周部の幅方向両端間の中間ないし中間付近に配されていると、前記蒸気孔キャップの着脱時いずれの場合でも、前記外周部の捩れが同様に防止されると共に、前記のモーメント荷重が最も低減される。
【００１７】
また、前記シールパッキンには、断面凹溝状に設けられたものを用いることができる。このようなシールパッキンは、前記周壁部の先端に押し嵌めていくだけで前記周壁部に取付けられる。ここで、前記シールパッキンの断面形状は、対称断面または非対称断面のいずれでもよい。
【００１８】
中でも、この発明の好ましい構成としては、前記シールパッキンが断面凹溝状に設けられ、前記外周部がその外側溝壁からなり、その内側溝壁が内外方向において前記係合部と対する構成を採用することができる。この構成によれば、前記外側溝壁と前記内側溝壁とが前記周壁部を内外方向に締めつけるので、前記係合部と前記周壁部との密着度が高まり、両部の掛り合いがより外れ難くなる。
【発明の効果】
【００１９】
以上に述べたように、この発明によれば、蒸気孔キャップと蓋との間を密封するシールパッキンを、別部材を用いることなく、しっかりと取付けることができる炊飯器を得られる。
【発明を実施するための最良の形態】
【００２０】
以下、この発明の第１実施形態を図１〜図６に基づいて説明する。
図１、図２に示すように、この第１実施形態に係る炊飯器は、炊飯器本体１内の内鍋２を閉じる蓋３と、この蓋３の外面に開放し、内鍋２内と通じる蒸気室４と、この蒸気室４に着脱可能に被さる蒸気孔キャップ５と、この蒸気孔キャップ５と前記蓋３との間を密封するシールパッキン６とを備えたものである。
【００２１】
図１、図３に示すように、蓋３は、その外殻を構成する外蓋７と、この外蓋７の下面に固定された放熱板８とを有する。外蓋７の下面には、放熱板８の外周を囲む環状壁を含む載置部９がリブ立てされている。放熱板８は、内鍋２を覆う平円板部を有し、この平円板部の外周には、内鍋２の鍔部２ａに密着する蓋パッキン１０と、載置部９の爪部１１に通される挿し口１２と、螺子孔部１３とが配設されている。また、放熱板８の上面には、内鍋２内を保温する電熱ヒータ１４が装着されている。放熱板８は、挿し口１２を爪部１１に挿通した後、外蓋７の下面に形成された螺子止め部１５と螺子孔部１３とを螺子締結することによって固定されている。
【００２２】
蓋３のように、外蓋の下面に放熱板を固定し、従来から周知の蓋リング部材を省略した蓋を用いる場合、外蓋の剛性を高める必要がある。そこで、蓋３では、蒸気室４が、外蓋７の上面に有底円筒状の凹入部分を形成することによって設けられている。蒸気室４は、蓋３の外面に開放し、かつ内周面を有するように設ければよく、有底円筒状に限定されない。この蒸気室４（凹入部分）により、外蓋７の曲げ剛性が向上する。なお、蒸気室４は、その吹きこぼれ防止性能を高めるため、可能な限り大容量に設けることが好ましい。
【００２３】
図４に示すように、蒸気室４の底面には、内鍋２内に通じる蒸気孔１６が開口され、蒸気室４の外底面には、蒸気孔１６を取り囲む下向きの環状リブ部１７が形成されている。環状リブ部１７には、蒸気孔パッキン１８が嵌合されている。この蒸気孔パッキン１８を介して、放熱板８に開口する蒸気排出口１９と蒸気孔１６とが連通されている。このため、内鍋２内で生じた蒸気は、蒸気排出口１９から蒸気孔１６を経て蒸気室４内に流入し、蒸気孔キャップ５の上面に開口する蒸気口２０から外部に流出する。
【００２４】
上記のように、蒸気室４が外蓋７の上面に形成された凹入部からなり、放熱板８が外蓋７の下面に固定された構造の場合、蒸気室４の底面と放熱板８との距離が近くなる。このため、蒸気孔１６を大径に設けると、ユーザが蒸気孔キャップ５を外して蒸気室４を清掃する際、蒸気孔１６に指を入れ、放熱板８を強く押して変形させる恐れが生じる。
【００２５】
また、蒸気孔１６を大径に設けると、炊飯時に優れた排気性が得られる反面、保温時、放熱板８が大気に熱を奪われ易くなり、その下面の結露が増えてしまう。特に、蒸気室４を大容量化すると、室内の大気量が増えるので、結露がより生じ易い。この結露が内鍋２内に落下すると、ご飯がふやけて不味くなる。
【００２６】
これらの事情を考慮すると、蒸気孔１６の最大径は、８ｍｍないし１０ｍｍであることが好ましい。これにより、蒸気孔１６に指が殆んど入らなくなり、また、放熱板８の冷えが軽減されながら、必要な排気性も確保される。
【００２７】
また、蒸気室４が外蓋７の上面に形成された凹入部からなり、放熱板８が外蓋７の下面に固定された構造の場合、蒸気室４内の蒸気の熱が蓋３の内部空間に伝わり易いので、内部空間に設置された電装部品の熱破壊対策を施すことが望ましい。しかし、蒸気室４に断熱材等を巻付けるとコスト高になる。
【００２８】
そこで、蓋３の内部空間と蒸気室４との間で断熱を図るため、蓋３の内部空間には、蒸気室４を囲む空気層が設けられている。具体的には、外蓋７の下面に、蒸気室４を取り囲む遮断壁２１が、放熱板８の上面と当接するように形成されている。これにより、蒸気室４の周囲には、外蓋７と遮断壁２１と放熱板８とにより閉鎖された空気層が設けられている。
【００２９】
上記の蒸気室４には、蒸気孔キャップ５が着脱可能に被さる。図４、図５に示すように、蒸気孔キャップ５は、蒸気室４を覆うカバー部２２と、蒸気室４の内周面と対面する周壁部２３とを有する。
【００３０】
カバー部２２は、上面が外蓋７の外面と概ね同一面を構成する円盤状に設けられ、その中央付近には、蒸気口２０が開口されている。このカバー部２２の下面には、周壁部２３がカバー部２２の外周よりも内方に位置し、かつ蒸気口２０を囲むように設けられている。周壁部２３の先端は、水平ないし略水平に設けられている。なお、周壁部２３よりも内方で蒸気口２０を囲む周リブ２４は、蒸気口２０から蒸気が急激に噴出することを抑えるために設けられている。
【００３１】
図６に示すように、周壁部２３の先端には、リング状で断面凹溝状に設けられたシールパッキン６が嵌合されている。シールパッキン６のうち、外側溝壁部分は、周壁部２３の外周面と密着する外周部２５となっている。
【００３２】
シールパッキン６は、その内径が周壁部２３の外径よりも小径に設けられており、シールパッキン６を周壁部２３の先端に嵌合すると、弾性締付力により周壁部２３の外周面に密着するようになっている。
【００３３】
外周部２５は、周壁部２３の外周面全周に亘って周方向に連続するように形成された凹凸部２６と合致する係合部２７を内周面全周に亘って有する。凹凸部２６は、内外方向に平行な壁面２６ａ，２６ｂが縮径面２６ｃを挟んで対面するように設けられている。外周部２５は、凹凸部２６と係合部２７との合致により、周壁部２３の外周面と全周に亘って互いに掛り合った状態となっている。
【００３４】
また、外周部２５は、その外周に、蒸気室４の内周面との間を密封するリップ２８を有する。リップ２８は、外周部２５の幅方向両端間の中間ないし中間付近において外周部２５の外周面全周に亘って周方向に連続し、かつ、内外方向において係合部２７と対するように設けられている。
【００３５】
外周部２５およびリップ２８は、蒸気孔キャップ５を蒸気室４に装着した状態でリップ２８が蒸気室４の内周面と密着するように設けられている。これにより、外周部２５は、そのリップ２８によって蒸気室４の内周面との間を密封するようになっている。なお、図１では、リップ２８の部分を模式的に示している。
【００３６】
一方、シールパッキン６のうち、外周部２５と溝底を介して連続する内側溝壁２９は、内外方向において係合部２７と対するように設けられている。
【００３７】
以上の構成において、シールパッキン６は、外周部２５を少し拡径しながら周壁部２３の先端に溝底が当たるまで押し嵌めていくと、凹凸部２６と係合部２７とが、シールパッキン６の弾性締付力によって自然に合致し、取付けが完了するようになっている。
【００３８】
なお、周壁部２３の凹凸部２６は、水平ないし略水平に設けられている。これにより、周壁部２３の先端が水平ないし略水平に設けられ、シールパッキン６が周壁部２３の先端に嵌合するように設けられていることと相俟って、シールパッキン６の取付けが無方向性となるので、シールパッキン６の取付け作業が簡単になる。
【００３９】
また、外周部２５と内側溝壁２９の連続部分はＲ形状に形成されている。これにより、周壁部２３が蒸気室４の内周面に傾斜をもって擦られても、力が逃げ易くなるので、外周部２５がよりずれ動き難くなる。
【００４０】
勿論、この発明においては、蓋構造は蓋３のようなものに限定されず、係合部２７の形態等も種々の変形が可能である。その一例として、この発明の第２実施形態について図７〜図８（ａ）、（ｂ）に基づいて説明する。なお、以降、上記第１実施形態との相違点のみを述べ、同一の構成については、同符号を付す。
【００４１】
図７に示すように、蓋３０の外殻を構成する外蓋３１は、その外面に蒸気室４が形成され、上記の遮断壁２１を省略して外蓋３１の下面中央ないし略中央にボス部３２が形成されたものである。
【００４２】
蒸気孔キャップ４０の周壁部４１には、その外周面に開口する側面視で矩形状の受け口４２が、周方向４箇所に均等となるように全周に亘って配設されている。一方、シールパッキン５０の外周部５１の内周面には、受け口４２と合致する係合部５２が、上記の各受け口４２と対応して突出するように形成されている。係合部５２は、シールパッキン５０を周壁部４１の先端に嵌合した状態で、周壁部４１の内周面よりも内方に圧入され、受け口４２を密封するようになっている。
【００４３】
この第２実施形態では、シールパッキン５０の取付け時に係合部５２と受け口４２の位置合わせが必要になる分、取付け作業に手間を要する。しかし、リップ２８を内外方向において係合部５２と対するように外周部５１に設けた場合、外周部５１と周壁部４１との掛り合いが深いため、外周部５１の捩れを効果的に防止することができる。
【００４４】
ところで、蓋３０は、蒸気室４が外蓋３１の凹入部分からなり、この蒸気室４に蒸気孔キャップ４０を着脱可能に被せ、蒸気孔キャップ４０と外蓋３１との間をシールパッキン５０で密封する構造なので、放熱板８を着脱式にする程度の蓋構造の変更であれば、外蓋３１を流用して実現することができる。
【００４５】
具体的には、蓋３０を図８（ａ）に示す蓋６０のように変更することができる。すなわち、電熱ヒータ１４を上面に配したヒータ装着板６１の外周に蓋パッキン１０を装着する。放熱板６２は、ヒータ装着板６１と対面し、内鍋２の内周面上端と接するように設ける。ヒータ装着板６１と放熱板６２には、ボス部３２に臨む通し孔６３，６４と、蒸気孔１６に臨む蒸気排出口６５，６６とをそれぞれ設けておく。
【００４６】
ヒータ装着板６１の通し孔６３に放熱板固定具６７を通してカシメ止めする。放熱板固定具６７には、頭部付きの螺合部材を用いる。ボス部３２に放熱板固定具６７の螺子孔６８を形成し、ヒータ装着板６１を放熱板固定具６７により螺子固定する。
【００４７】
放熱板６２の通し孔６４に、放熱板固定具６７の頭部に押入する挿通部６９と、放熱板６２を挟む二重鍔部７０とを有する通し孔ブッシング７１を着脱可能に圧入する。通し孔ブッシング７１は、放熱板６２ごと放熱板固定具６７の頭部から引き抜くことができるように設ける。
【００４８】
このように、予め外蓋３１にボス部３２を設けてあるので、ボス部３２にヒータ装着板６１を放熱板固定具６７で強固に固定することができる。さらに、放熱板固定具６７に対して押入・引抜き可能な通し孔ブッシング７１を放熱板６２に設けたので、放熱板固定具６７を介して、外蓋３１に放熱板６２を着脱可能に取付けることができる。なお、この取付け状態で、通し孔６３と６４との間は、通し孔ブッシング７１によって蓋６０の内部空間に対し密封される。
【００４９】
また、蒸気排出口６５には、放熱板６２を挟む二重鍔部７２と、蒸気孔パッキン３３と蒸気排出口６５，６６とに通る管路部７３とを有する蒸気孔ブッシング７４を着脱可能に圧入する。この蒸気孔ブッシング７４により、蒸気排出口６５と６６との間が、蓋６０の内部空間に対し密封状態で連通される。なお、図８（ｂ）に示すように、蒸気孔ブッシング７４に換えて、フランジ付きの管部材７５を蒸気孔１６と蒸気排出口６５と６６とに通し、リベット７６で放熱板６２に固定することもできる。
【００５０】
上述のように、蓋３０は、外蓋３１の金型の大幅な改造や、金型の新作を要することなく、放熱板６２を着脱可能に追加装備した蓋６０に変更することができる。
【００５１】
なお、蓋６０では、蒸気孔ブッシング７４等の外径に応じて蒸気孔１６の孔径を多少拡径することもある。このような場合、蒸気孔パッキン３３とヒータ装着板６１とのシール面が減少し、密封性が低下する。そこで、蒸気孔パッキン３３には、その外周に放熱板８の上面に密着する外径リップ部３４を有するものが予め採用されている（図７参照）。これにより、ヒータ装着板６１とのシール面が減少する場合でも、外径リップ部３４が径方向外向きに冗長性を有するので、蒸気孔パッキン３３とヒータ装着板６１との間の密封が確保される。
【００５２】
また、蓋６０では、蒸気孔パッキン３３に蒸気孔ブッシング７４等が挿通されるので、蒸気孔パッキン３３と蒸気孔ブッシング７４等との間の密封を図る必要がある。そこで、蒸気孔パッキン３３には、上記外径リップ部３４に加えて、その内周に内方へ突出する内径リップ部３５を有するものが予め採用されている。これにより、蒸気孔パッキン３３に蒸気孔ブッシング７４等を挿通した場合でも、内径リップ部３５が径方向内向きに冗長性を有するので、蒸気孔パッキン３３と蒸気孔ブッシング７４等との間の密封が得られる。このため、蒸気孔１６と放熱板６２との間が、蓋６０の内部空間に対し十分に密封された状態で連通される（図８（ｂ）参照）。
【図面の簡単な説明】
【００５３】
【図１】第１実施形態に係る炊飯器の縦断側面図。
【図２】同上の斜め後方視を示す全体斜視図。
【図３】同上の蓋下面視において蓋中心より左側を外蓋の下面図とした拡大下面図。
【図４】図１の蒸気室部分の拡大縦断側面図。
【図５】同上のシールパッキンを取付けた状態の蒸気孔キャップの下面側の斜視図。
【図６】図４のシールパッキン部分の拡大縦断側面図。
【図７】第２実施形態に係る炊飯器の蒸気室部分の拡大縦断側面図。
【図８】（ａ）同上において放熱板を着脱式に変更した蓋部分の縦断側面図。（ｂ）図８（ａ）の蒸気孔ブッシングに換えて管部材を用いた例の蒸気孔部分の拡大縦断面図。
【図９】従来例の蒸気室部分の拡大縦断面図。
【符号の説明】
【００５４】
１  炊飯器本体
２  内鍋
２ａ  鍔部
３  蓋
４  蒸気室
５  蒸気孔キャップ
６  シールパッキン
７  外蓋
８  放熱板
９  載置部
１０  蓋パッキン
１１  爪部
１２  挿し口
１３  螺子孔部
１４  電熱ヒータ
１５  螺子止め部
１６  蒸気孔
１７  環状リブ部
１８  蒸気孔パッキン
１９  蒸気排出口
２０  蒸気口
２１  遮断壁
２２  カバー部
２３  周壁部
２４  周リブ
２５  外周部
２６  凹凸部
２６ａ，２６ｂ  壁面
２６ｃ  縮径面
２７  係合部
２８  リップ
２９  内側溝壁
３０  蓋
３１  外蓋
３２  ボス部
４０  蒸気孔キャップ
４１  周壁部
４２  受け口
５０  シールパッキン
５１  外周部
５２  係合部
６０  蓋
６１  ヒータ装着板
６２  放熱板
６３，６４  通し孔
６５，６６  蒸気排出口
６７  放熱板固定具
６８  螺子孔
６９  挿通部
７０  二重鍔部
７１  通し孔ブッシング
７２  二重鍔部
７３  管路部
７４  蒸気孔ブッシング
７５  管部材
７６  リベット
８１  外蓋
８２  蒸気室
８３  開放部
８４  弁ケース
８５  弁セット
８６  蒸気孔キャップ
８７  カバー部
８８  周壁部
８９  リングパッキン
９０  リップ
【図１】
2006136396.tif 000003
【図２】
2006136396.tif 000004
【図３】
2006136396.tif 000005
【図４】
2006136396.tif 000006
【図５】
2006136396.tif 000007
【図６】
2006136396.tif 000008
【図７】
2006136396.tif 000009
【図８】
2006136396.tif 000010
【図９】
2006136396.tif 000011